(57)【特許請求の範囲】
【請求項１】
画像データの入力値の組み合わせを出力値の組み合わせに変換する色変換装置において、
入力値の中から色調整するポイント色を指定するためのポイント色指定手段と、
前記ポイント色に対する出力値の調整値を入力するための入力手段と、
前記ポイント色を含む初期調整範囲を設定し、当該初期調整範囲を複数の区分に区分けする区分け手段と、
前記区分け手段により区分けされた区分毎に異なる表示態様となるように区別表示を設定する区別表示設定手段と、
色変換対象の画像データ中の前記各区分に含まれる色の領域を、前記区別表示設定手段により設定された区別表示に対応する表示態様で当該色変換対象の画像データのプレビュー画像上に表示させる表示制御手段と、
前記複数の区分の中で前記初期調整範囲から除外したい区分を指定するための区分指定手段と、
前記区分指定手段により指定された区分を前記初期調整範囲から除外して調整範囲を設定する調整範囲設定手段と、
前記調整範囲設定手段により設定された調整範囲に応じて、当該調整範囲に含まれる色に対して前記入力手段により入力された調整値の調整率を設定する調整率設定手段と、
を備える色変換装置。
【請求項２】
前記区分け手段は、前記ポイント色から離れるほどより細かい区分に区分けする、
請求項１に記載の色変換装置。
【請求項３】
前記調整率設定手段は、前記ポイント色から離れるほど前記調整率を小さくする、
請求項１又は２に記載の色変換装置。
【請求項４】
前記区分指定手段は、前記ポイント色を中心として入力値の増加方向、減少方向について、個別に前記初期調整範囲から除外したい区分を指定可能である、
請求項１から３のいずれか一項に記載の色変換装置。
【請求項５】
前記区分指定手段は、入力色成分毎に、個別に前記初期調整範囲から除外したい区分を指定可能である、
請求項１から４のいずれか一項に記載の色変換装置。
【請求項６】
前記表示制御手段は、更に、入力値に対する調整率を表したグラフを表示させ、当該グラフ上の前記各区分に対応する部分を、前記区別表示設定手段により設定された区別表示に対応する表示態様で表示させる、
請求項１から５のいずれか一項に記載の色変換装置。
【請求項７】
画像データの入力値の組み合わせを出力値の組み合わせに変換する色変換装置の色調整方法において、
入力値の中から色調整するポイント色を指定する工程と、
前記ポイント色に対する出力値の調整値を入力する工程と、
前記ポイント色を含む初期調整範囲を設定し、当該初期調整範囲を複数の区分に区分けする工程と、
前記区分けされた区分毎に異なる表示態様となるように区別表示を設定する工程と、
色変換対象の画像データ中の前記各区分に含まれる色の領域を、前記設定された区別表示に対応する表示態様で当該色変換対象の画像データのプレビュー画像上に表示させる工程と、
前記複数の区分の中で前記初期調整範囲から除外したい区分を指定する工程と、
前記指定された区分を前記初期調整範囲から除外して調整範囲を設定する工程と、
前記設定された調整範囲に応じて、当該調整範囲に含まれる色に対して前記入力された調整値の調整率を設定する工程と、
を含む色変換装置の色調整方法。
【請求項８】
画像データの入力値の組み合わせを出力値の組み合わせに変換するコンピュータを、
入力値の中から色調整するポイント色を指定させる手段、
前記ポイント色に対する出力値の調整値を入力させる手段、
前記ポイント色を含む初期調整範囲を設定し、当該初期調整範囲を複数の区分に区分けする手段、
前記区分けされた区分毎に異なる表示態様となるように区別表示を設定する手段、
色変換対象の画像データ中の前記各区分に含まれる色の領域を、前記設定された区別表示に対応する表示態様で当該色変換対象の画像データのプレビュー画像上に表示させる手段、
前記複数の区分の中で前記初期調整範囲から除外したい区分を指定させる手段、
前記指定された区分を前記初期調整範囲から除外して調整範囲を設定する手段、
前記設定された調整範囲に応じて、当該調整範囲に含まれる色に対して前記入力された調整値の調整率を設定する手段、
として機能させるためのプログラム。
【発明の詳細な説明】
【技術分野】
【０００１】
本発明は、色変換装置、色変換装置の色調整方法及びプログラムに関する。
【背景技術】
【０００２】
第１の色域を有する入力画像を第２の色域を有する画像形成装置で出力する場合、出力物が入力画像と同等な色再現になるように、入力画像に対し、色変換テーブルを用いて色変換が行われる。環境条件や画像形成装置の状態等によって、出力物の色再現の精度は左右されるため、厳密に色再現を行うのは困難である。そこで、画像形成装置のユーザは、色変換後の画像を確認し、色再現の劣る色に対してポイント調整を行う。このとき、トーンジャンプを防止し、滑らかな階調にするために、指定したポイント色のみではなく、その周辺の色に対しても調整が行われる。
【０００３】
例えば、色空間を表す入力値の組み合わせを出力値の組み合わせに変換するためのルックアップテーブルの調整方法において、調整色を、所定範囲の入力値の組み合わせからなる色領域として指定し、入力値についての中心値と、中心値に対する調整範囲とを指定することにより、所定範囲を決定するものが提案されている（特許文献１参照）。これにより、所望の調整色毎に、出力値のバランスを変える調整を行うことができ、ルックアップテーブルを所望の色再現性が得られる特性に調整することができる。
【０００４】
また、カラープロファイルの調整範囲をプレビュー表示する画像処理装置において、入力画像内の調整の影響が見込まれる範囲について影響レベルを推定し、推定結果に基づいて影響レベルの大きさに応じた濃淡を持ったマスクを作成し、マスクを入力画像と重ね合わせてプレビュー表示するものが提案されている（特許文献２参照）。
【先行技術文献】
【特許文献】
【０００５】
【特許文献１】特許第３７８５６８８号公報
【特許文献２】特開２００８−１１８３５５号公報
【発明の概要】
【発明が解決しようとする課題】
【０００６】
しかし、特許文献１に記載の方法では、調整率（量）の大小によって、中心値の周辺の色に対する調整の影響が異なるため、意図していない色まで調整してしまうことがあり、一般のユーザが調整するのは困難であった。
【０００７】
また、特許文献２に記載の方法では、マスクを入力画像と重ね合わせてプレビュー表示することにより、視覚的に調整範囲を確認することはできるが、調整の影響レベルを明確に把握することは困難であった。また、調整範囲から除外したい箇所がある場合に、容易に設定を変更することができず、調整者のスキルが必要とされていた。
【０００８】
本発明は上記の従来技術における問題に鑑みてなされたものであって、色調整する調整範囲を容易に認識可能とするとともに、調整範囲内の一部を調整範囲から除外する際の操作性を向上させることを課題とする。
【課題を解決するための手段】
【０００９】
上記課題を解決するために、請求項１に記載の発明は、画像データの入力値の組み合わせを出力値の組み合わせに変換する色変換装置において、入力値の中から色調整するポイント色を指定するためのポイント色指定手段と、前記ポイント色に対する出力値の調整値を入力するための入力手段と、前記ポイント色を含む初期調整範囲を設定し、当該初期調整範囲を複数の区分に区分けする区分け手段と、前記区分け手段により区分けされた区分毎に異なる表示態様となるように区別表示を設定する区別表示設定手段と、色変換対象の画像データ中の前記各区分に含まれる色の領域を、前記区別表示設定手段により設定された区別表示に対応する表示態様で当該色変換対象の画像データのプレビュー画像上に表示させる表示制御手段と、前記複数の区分の中で前記初期調整範囲から除外したい区分を指定するための区分指定手段と、前記区分指定手段により指定された区分を前記初期調整範囲から除外して調整範囲を設定する調整範囲設定手段と、前記調整範囲設定手段により設定された調整範囲に応じて、当該調整範囲に含まれる色に対して前記入力手段により入力された調整値の調整率を設定する調整率設定手段と、を備える。
【００１０】
請求項２に記載の発明は、請求項１に記載の色変換装置において、前記区分け手段は、前記ポイント色から離れるほどより細かい区分に区分けする。
【００１１】
請求項３に記載の発明は、請求項１又は２に記載の色変換装置において、前記調整率設定手段は、前記ポイント色から離れるほど前記調整率を小さくする。
【００１２】
請求項４に記載の発明は、請求項１から３のいずれか一項に記載の色変換装置において、前記区分指定手段は、前記ポイント色を中心として入力値の増加方向、減少方向について、個別に前記初期調整範囲から除外したい区分を指定可能である。
【００１３】
請求項５に記載の発明は、請求項１から４のいずれか一項に記載の色変換装置において、前記区分指定手段は、入力色成分毎に、個別に前記初期調整範囲から除外したい区分を指定可能である。
【００１４】
請求項６に記載の発明は、請求項１から５のいずれか一項に記載の色変換装置において、前記表示制御手段は、更に、入力値に対する調整率を表したグラフを表示させ、当該グラフ上の前記各区分に対応する部分を、前記区別表示設定手段により設定された区別表示に対応する表示態様で表示させる。
【００１５】
請求項７に記載の発明は、画像データの入力値の組み合わせを出力値の組み合わせに変換する色変換装置の色調整方法において、入力値の中から色調整するポイント色を指定する工程と、前記ポイント色に対する出力値の調整値を入力する工程と、前記ポイント色を含む初期調整範囲を設定し、当該初期調整範囲を複数の区分に区分けする工程と、前記区分けされた区分毎に異なる表示態様となるように区別表示を設定する工程と、色変換対象の画像データ中の前記各区分に含まれる色の領域を、前記設定された区別表示に対応する表示態様で当該色変換対象の画像データのプレビュー画像上に表示させる工程と、前記複数の区分の中で前記初期調整範囲から除外したい区分を指定する工程と、前記指定された区分を前記初期調整範囲から除外して調整範囲を設定する工程と、前記設定された調整範囲に応じて、当該調整範囲に含まれる色に対して前記入力された調整値の調整率を設定する工程と、を含む。
【００１６】
請求項８に記載の発明は、画像データの入力値の組み合わせを出力値の組み合わせに変換するコンピュータを、入力値の中から色調整するポイント色を指定させる手段、前記ポイント色に対する出力値の調整値を入力させる手段、前記ポイント色を含む初期調整範囲を設定し、当該初期調整範囲を複数の区分に区分けする手段、前記区分けされた区分毎に異なる表示態様となるように区別表示を設定する手段、色変換対象の画像データ中の前記各区分に含まれる色の領域を、前記設定された区別表示に対応する表示態様で当該色変換対象の画像データのプレビュー画像上に表示させる手段、前記複数の区分の中で前記初期調整範囲から除外したい区分を指定させる手段、前記指定された区分を前記初期調整範囲から除外して調整範囲を設定する手段、前記設定された調整範囲に応じて、当該調整範囲に含まれる色に対して前記入力された調整値の調整率を設定する手段、として機能させるためのプログラムである。
【発明の効果】
【００１７】
請求項１、７、８に記載の発明によれば、色調整する調整範囲を容易に認識可能とするとともに、調整範囲内の一部を調整範囲から除外する際の操作性を向上させることができる。
【００１８】
請求項２に記載の発明によれば、初期調整範囲から除外したい区分がある場合に、調整範囲を細かく調整することができる。
【００１９】
請求項３に記載の発明によれば、トーンジャンプを防止することができる。
【００２０】
請求項４に記載の発明によれば、ポイント色を中心として入力値の増加方向、減少方向について、個別に調整範囲を調整することができる。
【００２１】
請求項５に記載の発明によれば、入力色成分毎に、個別に調整範囲を調整することができる。
【００２２】
請求項６に記載の発明によれば、入力値に対する調整率、及び、区分毎の表示態様を容易に認識可能とすることができる。
【図面の簡単な説明】
【００２３】
【図１】色変換装置の機能的構成を示すブロック図である。
【図２】色変換装置において実行されるデバイスリンクプロファイル作成処理を示すフローチャートである。
【図３】デバイスリンクプロファイル作成画面を示す図である。
【図４】プレビュー画像選択画面を示す図である。
【図５】プレビュー画像表示画面を示す図である。
【図６】第１の実施の形態における入力ＣＭＹＫ値についてのポイント色調整画面を示す図である。
【図７】ポイント色の調整範囲設定処理を示すフローチャートである。
【図８】第１の入力色成分毎の区別表示情報の例である。
【図９】色サンプル選択画面を示す図である。
【図１０】第１の初期調整率情報の例である。
【図１１】グラフの拡大図である。
【図１２】入力色成分毎のマスク色変換テーブル作成処理を示すフローチャートである。
【図１３】トータル調整率に応じた区別表示情報の例である。
【図１４】マゼンタについての調整範囲を示すマスク画像表示画面を示す図である。
【図１５】マスク画像表示画面の他の例である。
【図１６】トータル調整率を表示するポイント色調整画面を示す図である。
【図１７】トータル調整率に基づくマスク画像表示画面を示す図である。
【図１８】第１の調整率情報の例である。
【図１９】マゼンタについて調整範囲が変更された後のマスク画像表示画面を示す図である。
【図２０】マゼンタについて調整範囲が変更された後のポイント色調整画面を示す図である。
【図２１】イエローについて調整範囲が変更された後のポイント色調整画面を示す図である。
【図２２】第２の実施の形態における入力ＲＧＢ値についてのポイント色調整画面を示す図である。
【図２３】第２の入力色成分毎の区別表示情報の例である。
【図２４】第２の初期調整率情報の例である。
【図２５】第２の調整率情報の例である。
【図２６】レッドについて調整範囲が変更された後のポイント色調整画面を示す図である。
【図２７】スライドバーで調整範囲を設定するポイント色調整画面を示す図である。
【図２８】スライドバーで調整範囲が変更された後のポイント色調整画面を示す図である。
【発明を実施するための形態】
【００２４】
［第１の実施の形態］
まず、本発明に係る色変換装置の第１の実施の形態について説明する。
図１に、色変換装置１０の機能的構成を示す。色変換装置１０は、印刷対象画像の画像データの入力値の組み合わせを出力値の組み合わせに変換し、色変換処理後の画像データをプリンタ２０に送信する。
【００２５】
図１に示すように、色変換装置１０は、ＣＰＵ（Central Processing Unit）１１、ＲＯＭ（Read Only Memory）１２、ＲＡＭ（Random Access Memory）１３、記憶部１４、操作部１５、表示部１６、通信部１７等を備えて構成され、各部はバス１８により接続されている。
【００２６】
ＣＰＵ１１は、色変換装置１０の各部の処理動作を統括的に制御する。ＣＰＵ１１は、操作部１５から入力される操作信号又は通信部１７により受信した指示信号に応じて、ＲＯＭ１２又は記憶部１４に格納されている各種処理プログラムを読み出してＲＡＭ１３に展開し、当該プログラムとの協働により各種処理を実行する。
【００２７】
ＲＯＭ１２は、不揮発性の半導体メモリ等により構成され、各種処理プログラム、当該プログラムの実行に必要なパラメータやファイル等を記憶している。
【００２８】
ＲＡＭ１３は、ＣＰＵ１１により実行される各種処理プログラム及びこれらプログラムに係るデータを一時的に記憶するワークエリアを形成する。
【００２９】
記憶部１４は、ハードディスク等の記憶装置からなり、各種処理プログラム、各種処理に関するデータ、画像データ等を記憶する。
記憶部１４には、複数のプロファイルが記憶されている。デバイスに依存する色空間の特性を記述したデバイスプロファイルとして、プリンタ等の出力デバイスプロファイル、モニタやプロジェクタ等の表示デバイスプロファイル、スキャナやデジタルカメラ等の入力デバイスプロファイル等が挙げられる。
【００３０】
例えば、オフセット印刷機のデバイスプロファイルは、用紙にオフセット印刷された印刷物のカラーチャート（ＩＳＯ１２６４２規格）を測色器で測定した測色結果に基づいて作成される。ＩＳＯ１２６４２のカラーチャートは、ＣＭＹＫのデバイス用カラーチャートである。ＣＭＹＫの値を４次元格子状にとった入力ＣＭＹＫ値の各々について、測色結果のＬ＊ａ＊ｂ＊の値が記述されたＣＭＹＫ→Ｌ＊ａ＊ｂ＊のルックアップテーブルを作成し、オフセット印刷機のデバイスプロファイルを作成する。
【００３１】
プリンタ２０のデバイスプロファイルは、プリンタ２０で色変換処理を行わずに出力したカラーチャート（ＩＳＯ１２６４２規格）を測色器で測定した測色結果に基づいて作成される。ＣＭＹＫの値を４次元格子状にとった入力ＣＭＹＫ値の各々について、測色結果のＬ＊ａ＊ｂ＊の値が記述されたＣＭＹＫ→Ｌ＊ａ＊ｂ＊のルックアップテーブルを作成し、このルックアップテーブルのデータを用いて、Ｌ＊ａ＊ｂ＊の値を３次元格子状にとった入力Ｌ＊ａ＊ｂ＊値の各々について、ＣＭＹＫの出力値が記述されたＬ＊ａ＊ｂ＊→ＣＭＹＫのルックアップテーブルを作成し、プリンタ２０のデバイスプロファイルを作成する。
これらデバイスプロファイルの計算方法は、特開２００５−６３１６８号公報に開示されている。
【００３２】
また、記憶部１４には、第１の初期調整範囲情報、第１の入力色成分毎の区別表示情報（図８（ａ）及び（ｂ）参照）、第１の初期調整率情報（図１０参照）、第１の調整率情報（図１８（ａ）及び（ｂ）参照）、トータル調整率に応じた区別表示情報（図１３参照）が記憶されている。各情報の詳細については後述する。
【００３３】
操作部１５は、カーソルキー、文字入力キー、及び各種機能キー等を備えたキーボードと、マウス等のポインティングデバイスを備えて構成され、ユーザによる操作入力を受け付ける。操作部１５は、キーボードに対するキー操作やマウス操作により入力された操作信号をＣＰＵ１１に出力する。具体的に、操作部１５は、色を表す入力値の組み合わせの中から色調整するポイント色を指定するためのポイント色指定手段、ポイント色に対する出力値の調整値を入力するための入力手段、ポイント色を含む初期調整範囲を区分けした複数の区分の中で初期調整範囲から除外したい区分を指定するための区分指定手段として機能する。
【００３４】
表示部１６は、ＬＣＤ（Liquid Crystal Display）を備え、ＣＰＵ１１からの指示に従って、各種操作画面や各種処理結果を表示する。
【００３５】
通信部１７は、通信ネットワークを介して外部装置との間でデータの送受信を行う。例えば、通信部１７は、各種プロファイルのデータを受信したり、プリンタ２０に対して色変換後の画像データ（ＣＭＹＫ値）を送信したりする。
【００３６】
ＣＰＵ１１は、ＲＯＭ１２に記憶されているプログラムとの協働により、以下の処理を行う。
ＣＰＵ１１は、ユーザによる操作部１５からの操作に基づいて、色調整するポイント色を指定するための操作指示、ポイント色に対する出力値の調整値を入力するための操作指示を受け付ける。
ＣＰＵ１１は、指定されたポイント色を含む初期調整範囲を設定し、当該初期調整範囲を複数の区分に区分けする。この際、ＣＰＵ１１は、ポイント色から離れるほどより細かい区分に区分けする。
ＣＰＵ１１は、区分けされた区分毎に異なる表示態様となるように区別表示を設定する。
【００３７】
ＣＰＵ１１は、色変換対象の画像データ中の各区分に含まれる色の領域を、設定された区別表示に対応する表示態様で当該色変換対象の画像データのプレビュー画像上に表示させる。
ＣＰＵ１１は、入力値に対する調整率を表したグラフを表示させ、当該グラフ上の各区分に対応する部分を、設定された区別表示に対応する表示態様で表示させる。
【００３８】
ＣＰＵ１１は、ユーザによる操作部１５からの操作に基づいて、入力値の色成分毎に、初期調整範囲を区分けした複数の区分の中で初期調整範囲から除外したい区分を指定するための操作指示を受け付ける。
ＣＰＵ１１は、入力値の色成分毎に、指定された区分を初期調整範囲から除外して調整範囲を設定する。
ＣＰＵ１１は、設定された調整範囲に応じて、当該調整範囲に含まれる色に対して調整値の調整率を設定する。具体的に、ＣＰＵ１１は、ポイント色から離れるほど調整率を小さくする。
すなわち、ＣＰＵ１１は、区分け手段、区別表示設定手段、表示制御手段、調整範囲設定手段、調整率設定手段として機能する。
【００３９】
プリンタ２０は、色変換装置１０から受信した色変換後の画像データ（ＣＭＹＫ値）に基づいて、シアン、マゼンタ、イエロー、ブラックの各色成分の出力色により、用紙上に画像形成を行う画像形成装置である。例えば、プリンタ２０は、電子写真方式の画像形成を行うものであり、感光体ドラム、感光体ドラムの帯電を行う帯電部、画像データに基づいて感光体ドラム表面を露光走査する露光部、感光体ドラムにトナーを付着させる現像部、感光体ドラム上に形成されたトナー像を印刷用紙に転写する転写部、印刷用紙上に形成されたトナー像を定着させる定着部等から構成される。
【００４０】
次に、第１の実施の形態における動作について説明する。
第１の実施の形態では、ソースプロファイルとしてオフセット印刷機のデバイスプロファイルを用い、デスティネーションプロファイルとしてプリンタ２０のデバイスプロファイルを用いる。
【００４１】
図２は、色変換装置１０において実行されるデバイスリンクプロファイル作成処理を示すフローチャートである。この処理は、ＣＰＵ１１と、ＲＯＭ１２に記憶されているプログラムとの協働によるソフトウェア処理によって実現される。
【００４２】
図３に、デバイスリンクプロファイル作成画面１６１を示す。
まず、ユーザの操作部１５からの操作により、記憶部１４に記憶されているプロファイルの中からソースプロファイルが選択される（ステップＳ１）。具体的には、デバイスリンクプロファイル作成画面１６１のテキストボックスＴ１に、デバイスリンクプロファイルの作成に用いるソースプロファイルのファイル名が入力され、「選択」ボタンＢ１が押下される。ソースプロファイルとして、オフセット印刷機のデバイスプロファイル（ＣＭＹＫ→Ｌ＊ａ＊ｂ＊のルックアップテーブル）が選択される。
【００４３】
次に、ユーザの操作部１５からの操作により、記憶部１４に記憶されているプロファイルの中からデスティネーションプロファイルが選択される（ステップＳ２）。具体的には、デバイスリンクプロファイル作成画面１６１のテキストボックスＴ２に、デバイスリンクプロファイルの作成に用いるデスティネーションプロファイルのファイル名が入力され、「選択」ボタンＢ２が押下される。デスティネーションプロファイルとして、プリンタ２０のデバイスプロファイル（Ｌ＊ａ＊ｂ＊→ＣＭＹＫのルックアップテーブル）が選択される。
【００４４】
次に、ユーザの操作部１５からの操作により、記憶部１４に記憶されている色変換条件の中からレンダリングインテントが選択される（ステップＳ３）。具体的には、デバイスリンクプロファイル作成画面１６１のテキストボックスＴ３に、デバイスリンクプロファイルの作成に用いるレンダリングインテントが入力され、「選択」ボタンＢ３が押下される。
【００４５】
次に、ユーザの操作部１５からの操作により、デバイスリンクプロファイル作成画面１６１のデバイスリンクプロファイルの計算を指示するための「計算」ボタンＢ４が押下されると、ＣＰＵ１１により、ステップＳ１〜Ｓ３で選択されたソースプロファイル、デスティネーションプロファイル、レンダリングインテントに基づいて、デバイスリンクプロファイル（ＣＭＹＫ→ＣＭＹＫのルックアップテーブル）が作成される（ステップＳ４）。具体的には、ソースプロファイルの入力ＣＭＹＫ値について、それぞれ２１点（０，５，１０，１５，・・・，９０，９５，１００）の組み合わせ（２１×２１×２１×２１＝１９４４８１点）に対して、デバイスに依存しないＬ＊ａ＊ｂ＊値を介して、デスティネーションプロファイルの出力ＣＭＹＫ値が求められる。デバイスリンクプロファイルの計算方法は、特開２００５−６３１６８号公報に開示されている。
【００４６】
次に、ユーザの操作部１５からの操作により、記憶部１４に記憶されている画像データの中から色変換対象となる画像データが選択される。そして、ＣＰＵ１１により、選択された画像データに基づいて、表示部１６にプレビュー画像が表示される（ステップＳ５）。具体的には、デバイスリンクプロファイル作成画面１６１の「プレビュー画像を表示する」ボタンＢ５が押下されると、ＣＰＵ１１により、図４に示すプレビュー画像選択画面１６２が表示部１６に表示される。プレビュー画像選択画面１６２のテキストボックスＴ５に、対象画像のファイル名が入力され、「ＯＫ」ボタンＢ８が押下されると、ＣＰＵ１１により、図５に示すプレビュー画像表示画面１６３が表示される。
【００４７】
プレビュー画像は、印刷対象画像の画像データが、ステップＳ４で作成されたデバイスリンクプロファイルを用いて色変換され、更に、表示部１６に対応する表示デバイスプロファイル（ＣＭＹＫ値からＲＧＢ値へ変換するための色変換テーブル）を用いて色変換されたものである。モニタ用の色変換テーブル（ＣＭＹＫ→ＲＧＢのルックアップテーブル）の作成方法は、特許第３７８５６８８号公報に開示されている。
【００４８】
次に、ＣＰＵ１１により、操作部１５から、色再現の劣る色について、ポイント色調整をする旨の操作指示があったか否かが判断される（ステップＳ６）。具体的には、ＣＰＵ１１により、操作部１５からの操作に基づいて、図３に示すデバイスリンクプロファイル作成画面１６１の「ポイント色調整をする」ボタンＢ６が押下されたか否かが判断される。ポイント色調整をする旨の操作指示があった場合には（ステップＳ６；ＹＥＳ）、ＣＰＵ１１により、図６に示すポイント色調整画面１６４が表示部１６に表示される。
【００４９】
ポイント色調整画面１６４には、ポイント色設定領域１６４ａと、調整範囲設定領域１６４ｂとが含まれる。ポイント色設定領域１６４ａは、ポイント色を入力値の組み合わせとして指定し、ポイント色に対する出力値を調整するための領域である。調整範囲設定領域１６４ｂは、ポイント色を含む色調整の調整範囲を設定するための領域である。
【００５０】
次に、ユーザの操作部１５からの操作により、ポイント色が指定される（ステップＳ７）。具体的には、ポイント色設定領域１６４ａのポイント色指定領域Ａ１〜Ａ４に、ポイント色を指定するためのＣＭＹＫの入力値（０〜１００の値）の組み合わせが入力される。ポイント色が指定されると、ＣＰＵ１１により、調整前の出力値表示領域Ｄ１〜Ｄ４に、ポイント色の入力値の組み合わせ（ＣＭＹＫ値）を、調整前のデバイスリンクプロファイルを用いて色変換して得られた出力値の組み合わせ（ＣＭＹＫ値）が表示される。
【００５１】
なお、ポイント色設定領域１６４ａの「ポイント色をプレビュー画面で指定」ボタンＢ９を押下して、ポイント色をプレビュー画像表示画面１６３（図５参照）上で指定することとしてもよい。この場合には、プレビュー画像表示画面１６３上で指定された色に対応する入力値の組み合わせがポイント色指定領域Ａ１〜Ａ４に設定される。
【００５２】
次に、ユーザの操作部１５からの操作により、ポイント色に対する出力値の調整値が入力される（ステップＳ８）。調整値は、色成分毎に、ポイント色に対する出力値に加算される値である。具体的には、ポイント色設定領域１６４ａの調整値入力領域Ａ５〜Ａ８に、調整前の出力ＣＭＹＫ値に対する調整値が入力される。調整後の出力値表示領域Ｄ５〜Ｄ８には、ＣＰＵ１１により、調整前の出力値表示領域Ｄ１〜Ｄ４に表示されている調整前の出力値に、調整値入力領域Ａ５〜Ａ８において設定された調整値を加えた値が表示される。図６に示す例では、ポイント色として指定された入力ＣＭＹＫ値（０，４０，４０，０）に対して、調整前の出力ＣＭＹＫ値は（５，４２，４１，０）であるが、調整値として（−２，２，−１，０）が入力されているので、調整後の出力ＣＭＹＫ値は（３，４４，４０，０）となっている。このようにして、ポイント色の入力値に対する出力値を増減させることにより、ポイント色自身の色を調整する。
【００５３】
調整前のポイント色表示領域Ｄ９には、ＣＰＵ１１により、調整前の出力値の組み合わせに基づいて、調整前のポイント色の出力結果が表示される。調整後のポイント色表示領域Ｄ１０には、ＣＰＵ１１により、調整後の出力値の組み合わせに基づいて、調整後のポイント色の出力結果が表示される。これにより、ユーザは、出力ＣＭＹＫ値の調整前後の色を確認することができる。
【００５４】
次に、ＣＰＵ１１により、ポイント色の調整範囲設定処理が行われる（ステップＳ９）。
図６に示す調整範囲設定領域１６４ｂのラジオボタンＲ１〜Ｒ４は、調整範囲の設定対象となる入力色を指定する際に用いられる。シアンの色成分に対して調整範囲を設定する場合には、ラジオボタンＲ１をＯＮにし、マゼンタの色成分に対して調整範囲を設定する場合には、ラジオボタンＲ２をＯＮにし、イエローの色成分に対して調整範囲を設定する場合には、ラジオボタンＲ３をＯＮにし、ブラックの色成分に対して調整範囲を設定する場合には、ラジオボタンＲ４をＯＮにする。図６では、マゼンタのラジオボタンＲ２がＯＮに設定されている。
【００５５】
ここで、図７を参照して、ポイント色の調整範囲設定処理について説明する。
まず、ＣＰＵ１１により、記憶部１４に記憶されている第１の初期調整範囲情報に基づいて、入力色成分毎に、ポイント色を含む初期調整範囲が設定され、初期調整範囲が複数の区分に区分けされる（ステップＳ２１）。第１の初期調整範囲情報は、入力色成分がＣＭＹＫである場合の初期調整範囲と、各区分をどのように設定するかを定めた情報である。
【００５６】
第１の実施の形態において、初期調整範囲は、ポイント色を中心値として入力値の−２０以上＋２０以下の範囲に設定される。初期調整範囲は、中心値からの増減をＸとした場合に、−２０≦Ｘ＜−１８（領域ｆ）、−１８≦Ｘ＜−１６（領域ｅ）、−１６≦Ｘ＜−１３（領域ｄ）、−１３≦Ｘ＜−１０（領域ｃ）、−１０≦Ｘ＜−５（領域ｂ）、−５≦Ｘ＜０（領域ａ）、Ｘ＝０（中心値）、０＜Ｘ≦５（領域Ａ）、５＜Ｘ≦１０（領域Ｂ）、１０＜Ｘ≦１３（領域Ｃ）、１３＜Ｘ≦１６（領域Ｄ）、１６＜Ｘ≦１８（領域Ｅ）、１８＜Ｘ≦２０（領域Ｆ）の区分に区分けされる。ここでは、入力値において中心値から増加方向と減少方向で各々６区分、ポイント色（中心値）で１区分、合わせて１３区分に区分けした場合について説明するが、区分数は予め任意に決めておけばよい。
【００５７】
領域ａ〜ｆは、ポイント色として指定された入力値を中心値として、入力値について中心値のマイナス側の色領域を示している。領域ａから領域ｆにいくほど、ポイント色から色が離れていく。また、ポイント色から離れるほどより細かい区分に区分けされている。
領域Ａ〜Ｆは、ポイント色として指定された入力値を中心値として、入力値について中心値のプラス側の色領域を示している。領域Ａから領域Ｆにいくほど、ポイント色から色が離れていく。また、ポイント色から離れるほどより細かい区分に区分けされている。
【００５８】
次に、ＣＰＵ１１により、記憶部１４に記憶されている第１の入力色成分毎の区別表示情報に基づいて、区分けされた区分毎に異なる表示態様となるように区別表示が設定される（ステップＳ２２）。第１の入力色成分毎の区別表示情報は、各区分に対応する表示態様を示す情報である。異なる表示態様として、異なる色、異なるパターン（網掛け等）が挙げられるが、本実施の形態では、異なる色で色分けを行うことにより、各区分を区別して表示する場合について説明する。
【００５９】
図８（ａ）及び（ｂ）に、第１の入力色成分毎の区別表示情報の例を示す。中心値からの増減Ｘで区分けされた区分毎に、表示色が対応付けられている。具体的には、区分毎に、各表示色に対応するＣＭＹＫ値が対応付けられている。なお、図面上では、異なるパターンにより異なる色であることを表現している。
【００６０】
図６に示す調整範囲設定領域１６４ｂには、各領域ａ〜ｆ，Ａ〜Ｆと対応付けられて、表示色表示領域Ｅ１〜Ｅ１２と、チェックボックスＣ１〜Ｃ１２とが設けられている。
表示色表示領域Ｅ１〜Ｅ１２には、ＣＰＵ１１により、図８（ａ）及び（ｂ）に基づいて、各領域ａ〜ｆ，Ａ〜Ｆに対応する表示色が表示される。なお、区別表示の表示態様は、任意に設定可能となっている。例えば、表示色表示領域Ｅ１〜Ｅ１２をダブルクリックして、図９に示す色サンプル選択画面１６５を表示させ、その中からいずれかの色を選択することにより、表示色を別の色に変更することができる。
【００６１】
また、各領域ａ〜ｆ，Ａ〜Ｆに対応するチェックボックスＣ１〜Ｃ１２がチェックされている場合には、各領域ａ〜ｆ，Ａ〜Ｆが調整範囲として設定されていることを示している。初期設定においては、全てのチェックボックスＣ１〜Ｃ１２にチェックが入っている。
【００６２】
調整範囲設定領域１６４ｂのグラフ表示領域Ｇ１には、ＣＰＵ１１により、記憶部１４に記憶されている第１の初期調整率情報に基づいて、初期調整範囲に対する調整率を示すグラフが表示される。図１０に、第１の初期調整率情報の例を示す。第１の初期調整率情報として、初期調整範囲における、ポイント色の入力中心値からの増減Ｘに対する調整率Ｙ０（％）が予め定められている。ポイント色（Ｘ＝０）から色が離れるほど、調整率が小さくなるように設定されている。なお、区分内の調整率は、区分の両境界値における調整率を線形補間した値となる。また、初期調整範囲外の調整率は０とする。
【００６３】
図１１は、グラフ表示領域Ｇ１に表示されるグラフの拡大図である。グラフの横軸は入力値をポイント色（中心値）からの増減値で表した値であり、縦軸は調整率である。また、ＣＰＵ１１により、第１の入力色成分毎の区別表示情報（図８（ａ）及び（ｂ）参照）に基づいて、グラフ中の各区分に対応する部分が、区別表示に対応する表示色で表示される。
【００６４】
ユーザの操作部１５からの操作により、ポイント色の調整範囲の表示が指定されると（ステップＳ２３）、ＣＰＵ１１により、入力値の各格子点（ＣＭＹＫ４次元空間における各格子点：１９４４８１点）に対応する入力色成分毎の調整率が算出される（ステップＳ２４）。具体的には、ＣＰＵ１１により、ＣＭＹＫ毎に、入力ＣＭＹＫ値とポイント色のＣＭＹＫ値との差に基づいて、入力ＣＭＹＫ値の各格子点に対応する調整率が算出される。
【００６５】
ポイント色を（Ｃｎ，Ｍｎ，Ｙｎ，Ｋｎ）、格子点を（Ｃｉ，Ｍｉ，Ｙｉ，Ｋｉ）とすると、格子点（Ｃｉ，Ｍｉ，Ｙｉ，Ｋｉ）におけるシアンの調整率Ｗｃは、Ｘ＝Ｃｉ−Ｃｎに応じて算出される（図１０参照）。同様に、格子点（Ｃｉ，Ｍｉ，Ｙｉ，Ｋｉ）におけるマゼンタの調整率Ｗｍは、Ｘ＝Ｍｉ−Ｍｎに応じて算出され、格子点（Ｃｉ，Ｍｉ，Ｙｉ，Ｋｉ）におけるイエローの調整率Ｗｙは、Ｘ＝Ｙｉ−Ｙｎに応じて算出され、格子点（Ｃｉ，Ｍｉ，Ｙｉ，Ｋｉ）におけるブラックの調整率Ｗｋは、Ｘ＝Ｋｉ−Ｋｎに応じて算出される。
【００６６】
次に、ＣＰＵ１１により、入力値の各格子点に対応する入力色成分毎の調整率に基づいて、入力値の各格子点に対応するトータル調整率が算出される（ステップＳ２５）。
トータル調整率は、入力値の各格子点に対応する各出力値に加算する調整値に乗ずる値であり、入力色成分毎の調整率を掛け合わせた値である。すなわち、格子点（Ｃｉ，Ｍｉ，Ｙｉ，Ｋｉ）におけるトータル調整率Ｗｔは、格子点（Ｃｉ，Ｍｉ，Ｙｉ，Ｋｉ）におけるシアンの調整率Ｗｃ、マゼンタの調整率Ｗｍ、イエローの調整率Ｗｙ、ブラックの調整率Ｗｋを掛け合わせた値である。
Ｗｔ（％）＝Ｗｃ（％）×Ｗｍ（％）×Ｗｙ（％）×Ｗｋ（％）
【００６７】
ポイント色（中心値）を変換して得られた出力値には、調整値が１００％加算され、中心値の周囲の調整範囲に含まれる入力値を変換して得られた出力値には、調整値がトータル調整率に応じた割合で加算されることになる。
【００６８】
次に、ＣＰＵ１１により、入力色成分毎のマスク色変換テーブル作成処理が行われる（ステップＳ２６）。入力色成分毎のマスク色変換テーブルは、入力色成分毎に、各区分に含まれる色の領域を、ステップＳ２２において設定された区別表示に対応する表示態様に変換するためのものである。
【００６９】
図１２に示すように、入力色成分毎のマスク色変換テーブル作成処理では、まず、ＣＰＵ１１により、入力色成分毎に、第１の入力色成分毎の区別表示情報（図８（ａ）及び（ｂ）参照）に基づいて、入力値の各格子点に対応する区別表示用出力値が算出される（ステップＳ４１）。区別表示用出力値は、表示色に対応するＣＭＹＫ値である。例えば、マゼンタの色調整範囲を示すマスク色変換テーブルを作成する場合には、格子点（Ｃｉ，Ｍｉ，Ｙｉ，Ｋｉ）に対応する区別表示用出力値として、図８（ａ）及び（ｂ）において、Ｘ＝Ｍｉ−Ｍｎと対応付けられている表示色を出力するためのＣＭＹＫ値が算出される。
【００７０】
次に、ＣＰＵ１１により、トータル調整率が０の格子点については、入力色成分毎の区別表示用出力値が、入力色成分毎の調整率が０の場合（マスク表示されない場合）と同じ値にされる（ステップＳ４２）。すなわち、ＣＰＵ１１により、ある格子点において、入力色成分毎の調整率のうち少なくとも一つが０の場合には、区別表示用出力値が（０，０，０，０）に置き換えられる。
【００７１】
このようにして、ＣＰＵ１１により、入力色成分毎に入力値の各格子点に対する区別表示用出力値が求められ、入力色成分毎のマスク色変換テーブルが作成される（ステップＳ４３）。
【００７２】
次に、図７に戻り、ＣＰＵ１１により、トータル調整率に基づくマスク色変換テーブル作成処理が行われる（ステップＳ２７）。トータル調整率に基づくマスク色変換テーブルは、画像データに含まれる色を、トータル調整率に応じた区別表示に対応する表示態様に変換するためのものである。具体的には、ＣＰＵ１１により、入力値の各格子点におけるトータル調整率と、図１３に示すトータル調整率に応じた区別表示情報とに基づいて、入力値の各格子点に対応する区別表示用出力値が算出され、トータル調整率に基づくマスク色変換テーブルが作成される。トータル調整率に応じた区別表示情報は、トータル調整率に応じて区分けされた各区分に対応する表示態様を示す情報である。トータル調整率Ｗｔ（％）は、予め、Ｗｔ＝１００（中心値）、７５＜Ｗｔ＜１００（領域１）、５０＜Ｗｔ≦７５（領域２）、３０＜Ｗｔ≦５０（領域３）、１０＜Ｗｔ≦３０（領域４）、５＜Ｗｔ≦１０（領域５）、０＜Ｗｔ≦５（領域６）の区分に区分けされている。そして、図１３に示すように、トータル調整率Ｗｔで区分けされた区分毎に、表示色が対応付けられている。ここでは、区分数は７としたが、区分数は予め任意に決めておけばよい。
【００７３】
次に、ＣＰＵ１１により、入力色成分毎に、対象画像の画像データが入力色成分毎のマスク色変換テーブルを用いて色変換され、マスク画像が生成され、このマスク画像が対象画像のプレビュー画像上に重ねて表示される（ステップＳ２８）。すなわち、ＣＰＵ１１により、ＣＭＹＫ毎に、色変換対象の画像データ中の各区分に含まれる色の領域が、設定された区別表示に対応する表示態様で当該色変換対象の画像データのプレビュー画像上に表示される。
【００７４】
具体的には、図６に示すポイント色調整画面１６４に含まれる調整範囲設定領域１６４ｂにおいて、「調整範囲をプレビュー画面に表示」のＯＮ／ＯＦＦを指定するためのラジオボタンＲ６，Ｒ７が「ＯＮ」に設定されると、プレビュー画像上に入力色成分毎の区別表示に対応する表示色が表示される。プレビュー画像上に表示される区別表示と、グラフの区別表示（グラフ表示領域Ｇ１）と、調整範囲設定の表示色の区別表示（表示色表示領域Ｅ１〜Ｅ１２）の区分毎の色は、すべて共通の色となっている。
【００７５】
図１４に、入力色成分のうちマゼンタについてのマスク画像がプレビュー画像に重ねて表示されたマスク画像表示画面１６６の例を示す。プレビュー画像上のマスク領域Ｑ１は、区分けされた領域ｄに対応する色であり、プレビュー画像上のマスク領域Ｑ２は、区分けされた領域Ｆに対応する色であり、プレビュー画像上のマスク領域Ｑ３は、区分けされた領域ｂに対応する色であり、プレビュー画像上のマスク領域Ｑ４は、区分けされた領域Ｂに対応する色であり、プレビュー画像上のマスク領域Ｑ５は、区分けされた領域Ｅに対応する色であり、プレビュー画像上のマスク領域Ｑ６は、区分けされた領域Ｄに対応する色であり、プレビュー画像上のマスク領域Ｑ７は、ポイント色に対応する色である。
実際には、マゼンタだけでなく、入力色成分毎に区別表示されたプレビュー画像が表示される。
【００７６】
なお、図１５に示すように、プレビュー画像上の区別表示がわかり易いように、区別表示された領域（調整範囲）以外の画像領域をグレーで表示させたマスク画像表示画面１６７を表示することとしてもよい。
【００７７】
次に、図６の調整範囲設定領域１６４ｂにおいて、「Total」を選択するためのラジオボタンＲ５がＯＮにされると、ＣＰＵ１１により、図１６に示すポイント色調整画面１６８が表示部１６に表示される。ポイント色調整画面１６８に含まれる調整範囲設定領域１６８ｂには、トータル調整率に応じた各区分と対応付けられて、表示色表示領域Ｅ２１〜Ｅ２７が設けられている。
表示色表示領域Ｅ２１〜Ｅ２７には、ＣＰＵ１１により、図１３に示すトータル調整率に応じた区別表示情報に基づいて、トータル調整率に応じた各区分に対応する表示色が表示される。具体的には、表示色表示領域Ｅ２１には、調整色中心値に対応する表示色が表示され、表示色表示領域Ｅ２２〜Ｅ２７には、領域１〜６に対応する表示色が表示される。また、表示色表示領域Ｅ２１〜Ｅ２７の区別表示の表示態様は、任意に設定可能となっている。
【００７８】
また、調整範囲設定領域１６８ｂのグラフ表示領域Ｇ２には、ポイント色の入力中心値からの４次元空間上での距離（イメージ）に対するトータル調整率を示すグラフが表示される。グラフ中の各区分に対応する部分は、図１３に示すトータル調整率に応じた区別表示情報に基づいて、区別表示に対応する表示色で表示される。
【００７９】
次に、ＣＰＵ１１により、対象画像の画像データがトータル調整率に基づくマスク色変換テーブルを用いて色変換され、マスク画像が生成され、このマスク画像が対象画像のプレビュー画像上に重ねて表示される（ステップＳ２９）。
【００８０】
具体的には、図１６の調整範囲設定領域１６８ｂにおいて、「調整範囲をプレビュー画面に表示」のＯＮ／ＯＦＦを指定するためのラジオボタンＲ８，Ｒ９が「ＯＮ」に設定されると、プレビュー画像上にトータル調整率に応じた区別表示に対応する表示色が表示される。
【００８１】
図１７に、トータル調整率に基づくマスク画像がプレビュー画像に重ねて表示されたマスク画像表示画面１６９の例を示す。マスク画像表示画面１６９は、図１５に示したマスク画像表示画面１６７と同様に、区別表示された領域（調整範囲）以外の画像領域をグレーで表示させた場合の例である。プレビュー画像上のマスク領域Ｑ１１及びＱ１２は、区分けされた領域６に対応する色であり、プレビュー画像上のマスク領域Ｑ１３は、区分けされた領域５に対応する色であり、プレビュー画像上のマスク領域Ｑ１４は、区分けされた領域３に対応する色であり、プレビュー画像上のマスク領域Ｑ１５は、区分けされた領域４に対応する色であり、プレビュー画像上のマスク領域Ｑ１６は、区分けされた領域２に対応する色であり、プレビュー画像上のマスク領域Ｑ１７は、ポイント色に対応する色である。トータル調整率に基づくマスク画像により、最終的な調整範囲とトータル調整率を確認することができる。
【００８２】
なお、図４に示すプレビュー画像選択画面１６２で選択された画像のプレビュー画像とともに、選択された入力色成分の調整範囲を段階的に区別表示したマスク画像を重ねたプレビュー画像と、トータル調整率に応じて段階的に区別表示したマスク画像を重ねたプレビュー画像と、を同時に表示するようにしてもよい。あるいは、入力色成分毎の調整範囲を段階的に区別表示したマスク画像を重ねたプレビュー画像の全てと、トータル調整率に応じて段階的に区別表示したマスク画像を重ねたプレビュー画像と、を同時に表示するようにしてもよい。
【００８３】
次に、ＣＰＵ１１により、操作部１５からの操作に基づいて、入力色成分毎の調整範囲に含まれる複数の区分の中で調整範囲から除外したい区分が指定されたか否かが判断される（ステップＳ３０）。具体的には、調整範囲から除外したい区分がある場合には、ユーザは、図６に示すポイント色調整画面１６４の調整範囲設定領域１６４ｂにおいて、除外したい区分の区別表示の表示色と同じ色に対応するチェックボックスＣ１〜Ｃ１２のチェックをはずす。
【００８４】
調整範囲から除外したい区分が指定された場合には（ステップＳ３０；ＹＥＳ）、ＣＰＵ１１により、指定された区分が調整範囲から除外され、新たな調整範囲が設定される（ステップＳ３１）。なお、ＣＰＵ１１により、調整範囲から除外された区分よりもポイント色から離れた区分については、同時に調整範囲から除外される。例えば、領域ＤのチェックボックスＣ１０のチェックがはずされた場合には、自動的に領域Ｅ及び領域Ｆも調整範囲から除外され、調整範囲設定領域１６４ｂのチェックボックスＣ１１，Ｃ１２のチェックがはずれる。
【００８５】
調整範囲の変更に伴い、ＣＰＵ１１により、記憶部１４に記憶されている第１の調整率情報に基づいて、調整範囲内の調整率が変更される。すなわち、ＣＰＵ１１により、新たに設定された調整範囲に応じて、当該調整範囲に含まれる色に対して調整値の調整率が設定される。変更後の調整範囲と調整率の関係は、変更された調整範囲に基づいて、予め設定されている中から適宜選択される。
【００８６】
図１８（ａ）及び（ｂ）に、変更後の調整範囲における第１の調整率情報を示す。
調整率Ｙ１（％）は、初期調整範囲から領域Ｆが除外された場合のポイント色の入力中心値からの増減Ｘに対する調整率である。調整率Ｙ２（％）は、初期調整範囲から領域Ｅ及びＦが除外された場合のポイント色の入力中心値からの増減Ｘに対する調整率である。調整率Ｙ３（％）は、初期調整範囲から領域Ｄ、Ｅ及びＦが除外された場合のポイント色の入力中心値からの増減Ｘに対する調整率である。調整率Ｙ４（％）は、初期調整範囲から領域Ｃ、Ｄ、Ｅ及びＦが除外された場合のポイント色の入力中心値からの増減Ｘに対する調整率である。調整率Ｙ５（％）は、初期調整範囲から領域Ｂ、Ｃ、Ｄ、Ｅ及びＦが除外された場合のポイント色の入力中心値からの増減Ｘに対する調整率である。
【００８７】
調整率Ｙ６（％）は、初期調整範囲から領域ｆが除外された場合のポイント色の入力中心値からの増減Ｘに対する調整率である。調整率Ｙ７（％）は、初期調整範囲から領域ｅ及びｆが除外された場合のポイント色の入力中心値からの増減Ｘに対する調整率である。調整率Ｙ８（％）は、初期調整範囲から領域ｄ、ｅ及びｆが除外された場合のポイント色の入力中心値からの増減Ｘに対する調整率である。調整率Ｙ９（％）は、初期調整範囲から領域ｃ、ｄ、ｅ及びｆが除外された場合のポイント色の入力中心値からの増減Ｘに対する調整率である。調整率Ｙ１０（％）は、初期調整範囲から領域ｂ、ｃ、ｄ、ｅ及びｆが除外された場合のポイント色の入力中心値からの増減Ｘに対する調整率である。
【００８８】
図１８（ａ）及び（ｂ）においても、ポイント色（Ｘ＝０）から色が離れるほど、調整率が小さくなるように設定されている。また、区分内の調整率は、区分の両境界値における調整率を線形補間した値となる。また、調整範囲外の調整率は０とする。
【００８９】
ここで、ユーザの操作部１５からの操作により、ポイント色の調整範囲の表示が指定されると（ステップＳ３２）、ステップＳ２４に戻り、ステップＳ２４〜ステップＳ３０の処理が繰り返される。新たな調整範囲に応じて入力値の各格子点に対応する入力色成分毎の調整率が算出し直されるため（ステップＳ２４）、入力色成分毎のマスク色変換テーブル作成処理では、除外された区分の区別表示が非表示となるように、マスク色変換テーブルが再作成される（ステップＳ２６）。
【００９０】
具体的には、図６に示すポイント色調整画面１６４の調整範囲設定領域１６４ｂにおいて、除外したい区分の区別表示の表示色と同じ色に対応するチェックボックスＣ１〜Ｃ１２のチェックがはずされた状態で、「設定をプレビュー画面に反映」ボタンＢ１０が押下されると、ＣＰＵ１１により、プレビュー画像上に変更後の調整範囲に含まれる区分に対応する表示色が表示され、調整範囲から除外したい箇所が除外されていることを確認できる。
【００９１】
図１９に、入力色成分のうちマゼンタについて、調整範囲が変更された後のマスク画像がプレビュー画像に重ねて表示されたマスク画像表示画面１７０の例を示す。図１４のマスク画像表示画面１６６と比較すると、マゼンタの調整領域から領域Ｄ、Ｅ及びＦが除外されたことがわかる。
【００９２】
また、図６に示すポイント色調整画面１６４の調整範囲設定領域１６４ｂにおいて、マゼンタについて、領域Ｄ、Ｅ及びＦに対応するチェックボックスＣ１０〜Ｃ１２のチェックがはずされた状態で、プルダウンメニューＰ１を操作することにより、「調整範囲変更前」から「調整範囲変更後」に変更されると、ＣＰＵ１１により、図２０に示すポイント色調整画面１７１が表示される。ポイント色調整画面１７１に含まれる調整範囲設定領域１７１ｂのグラフ表示領域Ｇ３には、調整範囲から領域Ｄ、Ｅ及びＦが除外された調整範囲変更後のグラフが表示される。すなわち、中心値のプラス側については、図１８（ａ）の調整率Ｙ３（％）が採用され、中心値のマイナス側については、図１０の調整率Ｙ０（％）が採用されている。
【００９３】
他の入力色成分の調整範囲を設定する場合も同様に、図６に示すポイント色調整画面１６４に含まれる調整範囲設定領域１６４ｂの入力色のラジオボタンＲ１〜Ｒ４を変更して、調整範囲を設定する。
イエローの調整範囲を変更する場合には、調整範囲設定領域１６４ｂのラジオボタンＲ３をＯＮにする。例えば、領域ｄのチェックボックスＣ４のチェックがはずされた場合には、自動的に領域ｅ及び領域ｆも調整範囲から除外され、チェックボックスＣ５，Ｃ６のチェックがはずれる。この状態で、プルダウンメニューＰ１を操作することにより、「調整範囲変更前」から「調整範囲変更後」に変更されると、ＣＰＵ１１により、図２１に示すポイント色調整画面１７２が表示される。ポイント色調整画面１７２に含まれる調整範囲設定領域１７２ｂのグラフ表示領域Ｇ４には、調整範囲から領域ｄ、ｅ及びｆが除外された調整範囲変更後のグラフが表示される。すなわち、中心値のプラス側については、図１０の調整率Ｙ０（％）が採用され、中心値のマイナス側については、図１８（ｂ）の調整率Ｙ８（％）が採用されている。
【００９４】
ステップＳ３０において、調整範囲から除外したい区分が指定されない場合（ステップＳ３０；ＮＯ）、すなわち、現状設定されている調整範囲で確定される場合には、ポイント色の調整範囲設定処理が終了する。例えば、図２０に示すポイント色調整画面１７１において、「ＯＫ」ボタンＢ１１が押下されると、図３に示すデバイスリンクプロファイル作成画面１６１に戻る。
【００９５】
図２に戻り、ＣＰＵ１１により、ポイント色調整の調整後の設定に基づいて、デバイスリンクプロファイルが再作成される（ステップＳ１０）。具体的には、ＣＰＵ１１により、ポイント色の出力値に対する調整値（ＣＭＹＫ）と、入力値の各格子点に対応するトータル調整率（最後に算出されたトータル調整率）と、を掛け合わせた値が、入力値の各格子点に対応する出力ＣＭＹＫ値（調整前のデバイスリンクプロファイルを用いて色変換された値）にそれぞれ加算され、ポイント色調整が反映された後の出力ＣＭＹＫ値が算出される。そして、入力値の各格子点に対して、ポイント色調整後の出力ＣＭＹＫ値を対応付けたデバイスリンクプロファイルが作成される。
【００９６】
ステップＳ１０の後、又は、ステップＳ６において、ポイント色調整をする旨の操作指示がなかった場合には（ステップＳ６；ＮＯ）、ＣＰＵ１１により、デバイスリンクプロファイルが記憶部１４に保存される（ステップＳ１１）。具体的には、図３に示すデバイスリンクプロファイル作成画面１６１のテキストボックスＴ４にデバイスリンクプロファイルのファイル名が入力され、「保存」ボタンＢ７が押下されると、ＣＰＵ１１により、デバイスリンクプロファイルが記憶部１４に保存される。
以上で、色変換装置１０におけるデバイスリンクプロファイル作成処理が終了する。
【００９７】
色変換装置１０では、ポイント色調整を反映して作成されたデバイスリンクプロファイルを適用して、画像データに色変換処理が行われる。そして、プリンタ２０では、色変換処理後の画像データに基づいて画像形成が行われる。
【００９８】
以上説明したように、第１の実施の形態における色変換装置１０によれば、色変換対象の画像データ中の各区分に含まれる色の領域を、区別表示に対応する表示態様でプレビュー画像上に表示させるので、色調整する調整範囲を容易に認識可能とすることができる。また、区分単位で初期調整範囲から除外することができるので、調整範囲内の一部を調整範囲から除外する際の操作性を向上させることができる。
【００９９】
また、ポイント色から離れるほどより細かい区分に区分けすることにより、初期調整範囲から除外したい区分がある場合に、調整範囲を細かく調整することができる。
また、ポイント色から離れるほど調整率を小さくすることにより、トーンジャンプを防止することができる。
【０１００】
また、ポイント色を中心として入力値の増加方向、減少方向について、個別に調整範囲を調整することができる。
また、入力値の色成分毎に、個別に初期調整範囲から除外したい区分を指定することができるので、入力値の色成分毎に、個別に調整範囲を調整することができる。
【０１０１】
また、入力値に対する調整率を表したグラフを表示させることにより、入力値に対する調整率を容易に認識可能とすることができる。また、グラフ上の各区分に対応する部分を、設定された区別表示に対応する表示態様で表示させることにより、区分毎の表示態様を容易に認識可能とすることができる。
【０１０２】
また、入力ＣＭＹＫ値の格子点の中で、同一格子点における入力色成分毎の調整率のうち少なくとも一つが０である格子点は、入力色成分毎の区別表示用出力値を調整率が０の場合と同じにすることによって、入力色成分毎のマスク画像から除外することができる。これにより、最終のトータル調整率で調整範囲に入らない箇所を、入力色成分毎のマスク画像においてもマスク表示しないので、調整範囲から除外しなくてもいい箇所を除外してしまうことを防ぐことができる。
【０１０３】
また、図６の調整範囲設定領域１６４ｂにおいて、「Total」が選択されると、トータル調整率に応じて区別表示されたマスク画像がプレビュー画像上に表示されるので、トータル調整率を画像上で視覚的に確認することができる。
【０１０４】
［第２の実施の形態］
次に、本発明を適用した第２の実施の形態について説明する。
第２の実施の形態における色変換装置は、第１の実施の形態に示した色変換装置１０と同様の構成であるため、図１を援用し、その構成については図示及び説明を省略する。以下、第２の実施の形態に特徴的な構成及び処理について説明する。
【０１０５】
第２の実施の形態では、入力の色空間がＲＧＢ、出力の色空間がＣＭＹＫの場合であって、ポイント色の調整範囲を入力色成分毎（ＲＧＢ毎）に調整する場合について説明する。
【０１０６】
記憶部１４には、第２の初期調整範囲情報、第２の入力色成分毎の区別表示情報（図２３（ａ）及び（ｂ）参照）、第２の初期調整率情報（図２４参照）、第２の調整率情報（図２５（ａ）及び（ｂ）参照）、トータル調整率に応じた区別表示情報（図１３参照）が記憶されている。トータル調整率に応じた区別表示情報を除く各情報の詳細については後述する。トータル調整率に応じた区別表示情報については、第１の実施の形態で説明したものと同様である。
【０１０７】
第２の実施の形態では、ソースプロファイルとしてｓＲＧＢを用い、デスティネーションプロファイルとしてプリンタ２０のデバイスプロファイルを用いる。ｓＲＧＢは、一般的に配布されている表色系の値と対応付けられたＲＧＢプロファイル（国際電気標準会議（ＩＥＣ）が定めた国際標準規格）である。
【０１０８】
次に、第２の実施の形態における動作について説明する。
第２の実施の形態の色変換装置において実行されるデバイスリンクプロファイル作成処理は、ソースプロファイルとして、ＲＧＢ色空間であるｓＲＧＢを使用する以外は、第１の実施の形態と同様であるため、図２、図７及び図１２を援用し、詳細な説明は省略する。
【０１０９】
図３に示すデバイスリンクプロファイル作成画面１６１において、ソースプロファイル、デスティネーションプロファイル及びレンダリングインテントが選択され、デバイスリンクプロファイル（ＲＧＢ→ＣＭＹＫのルックアップテーブル）が作成される（ステップＳ１〜Ｓ４）。具体的には、ソースプロファイルとして、ｓＲＧＢ（ＲＧＢ→Ｌ＊ａ＊ｂ＊のルックアップテーブル）が選択され、デスティネーションプロファイルとして、プリンタ２０のデバイスプロファイル（Ｌ＊ａ＊ｂ＊→ＣＭＹＫのルックアップテーブル）が選択される。デバイスリンクプロファイルとして、ソースプロファイルの入力ＲＧＢ値について、それぞれ４１点（０，６．３７５，１２．７５，１９．１２５，・・・，２４２．２５，２４８．６２５，２５５）の組み合わせ（４１×４１×４１＝６８９２１点）に対して、デバイスに依存しないＬ＊ａ＊ｂ＊値を介して、デスティネーションプロファイルの出力ＣＭＹＫ値が求められる。
【０１１０】
次に、ユーザの操作部１５からの操作により、記憶部１４に記憶されている画像データの中から色変換対象となる画像データが選択され、ＣＰＵ１１により、選択された画像データに基づいて、表示部１６にプレビュー画像が表示される（ステップＳ５）。なお、ソースプロファイルをモニタプロファイルとして使用して表示部１６に表示させたプレビュー画像と、第１の実施の形態と同様のプレビュー画像とを比較表示できるようにしてもよい。
【０１１１】
次に、ＣＰＵ１１により、操作部１５から、色再現の劣る色について、ポイント色調整をする旨の操作指示があったか否かが判断される（ステップＳ６）。ポイント色調整をする旨の操作指示があった場合には（ステップＳ６；ＹＥＳ）、ＣＰＵ１１により、図２２に示すポイント色調整画面１７３が表示部１６に表示される。
【０１１２】
ポイント色調整画面１７３には、ポイント色設定領域１７３ａと、調整範囲設定領域１７３ｂとが含まれる。ポイント色設定領域１７３ａは、ポイント色を入力値の組み合わせとして指定し、ポイント色に対する出力値を調整するための領域である。調整範囲設定領域１７３ｂは、ポイント色を含む色調整の調整範囲を設定するための領域である。
【０１１３】
次に、ユーザの操作部１５からの操作により、ポイント色が指定される（ステップＳ７）。具体的には、ポイント色設定領域１７３ａのポイント色指定領域Ａ１１〜Ａ１３に、ポイント色を指定するためのＲＧＢの入力値（０〜２５５の値）の組み合わせが入力される。ポイント色が指定されると、ＣＰＵ１１により、調整前の出力値表示領域Ｄ１１〜Ｄ１４に、ポイント色の入力値の組み合わせ（ＲＧＢ値）を、調整前のデバイスリンクプロファイルを用いて色変換して得られた出力値の組み合わせ（ＣＭＹＫ値）が表示される。
【０１１４】
なお、ポイント色設定領域１７３ａの「ポイント色をプレビュー画面で指定」ボタンＢ１２を押下して、ポイント色をプレビュー画像表示画面１６３（図５参照）上で指定することとしてもよい。この場合には、プレビュー画像表示画面１６３上で指定された色に対応する入力値の組み合わせがポイント色指定領域Ａ１１〜Ａ１３に設定される。
【０１１５】
次に、ユーザの操作部１５からの操作により、ポイント色に対する出力値の調整値が入力される（ステップＳ８）。具体的には、ポイント色設定領域１７３ａの調整値入力領域Ａ１４〜Ａ１７に、調整前の出力ＣＭＹＫ値に対する調整値が入力される。調整後の出力値表示領域Ｄ１５〜Ｄ１８には、ＣＰＵ１１により、調整前の出力値表示領域Ｄ１１〜Ｄ１４に表示されている調整前の出力値に、調整値入力領域Ａ１４〜Ａ１７において設定された調整値を加えた値が表示される。図２２に示す例では、ポイント色として指定された入力ＲＧＢ値（１３１，１７５，２４０）に対して、調整前の出力ＣＭＹＫ値は（５６，２４，０，０）であるが、調整値として（０，−３，２，０）が入力されているので、調整後の出力ＣＭＹＫ値は（５６，２１，２，０）となっている。このようにして、ポイント色の入力値に対する出力値を増減させることにより、ポイント色自身の色を調整する。
【０１１６】
調整前のポイント色表示領域Ｄ１９には、ＣＰＵ１１により、調整前の出力値の組み合わせに基づいて、調整前のポイント色の出力結果が表示される。調整後のポイント色表示領域Ｄ２０には、ＣＰＵ１１により、調整後の出力値の組み合わせに基づいて、調整後のポイント色の出力結果が表示される。これにより、ユーザは、出力ＣＭＹＫ値の調整前後の色を確認することができる。
【０１１７】
次に、ＣＰＵ１１により、ポイント色の調整範囲設定処理が行われる（ステップＳ９）。
図２２に示す調整範囲設定領域１７３ｂのラジオボタンＲ１１〜Ｒ１３は、調整範囲の設定対象となる入力色を指定する際に用いられる。レッドの色成分に対して調整範囲を設定する場合には、ラジオボタンＲ１１をＯＮにし、グリーンの色成分に対して調整範囲を設定する場合には、ラジオボタンＲ１２をＯＮにし、ブルーの色成分に対して調整範囲を設定する場合には、ラジオボタンＲ１３をＯＮにする。図２２では、レッドのラジオボタンＲ１１がＯＮに設定されている。
【０１１８】
ポイント色の調整範囲設定処理（図７参照）では、まず、ＣＰＵ１１により、記憶部１４に記憶されている第２の初期調整範囲情報に基づいて、入力色成分毎に、ポイント色を含む初期調整範囲が設定され、初期調整範囲が複数の区分に区分けされる（ステップＳ２１）。第２の初期調整範囲情報は、入力色成分がＲＧＢである場合の初期調整範囲と、各区分をどのように設定するかを定めた情報である。
【０１１９】
第２の実施の形態において、初期調整範囲は、ポイント色を中心値として入力値の−５１以上＋５１以下の範囲に設定される。初期調整範囲は、中心値からの増減をＸとした場合に、−５１≦Ｘ＜−４６（領域ｆ）、−４６≦Ｘ＜−４１（領域ｅ）、−４１≦Ｘ＜−３３（領域ｄ）、−３３≦Ｘ＜−２６（領域ｃ）、−２６≦Ｘ＜−１３（領域ｂ）、−１３≦Ｘ＜０（領域ａ）、Ｘ＝０（中心値）、０＜Ｘ≦１３（領域Ａ）、１３＜Ｘ≦２６（領域Ｂ）、２６＜Ｘ≦３３（領域Ｃ）、３３＜Ｘ≦４１（領域Ｄ）、４１＜Ｘ≦４６（領域Ｅ）、４６＜Ｘ≦５１（領域Ｆ）の区分に区分けされる。ここでは、入力値において中心値から増加方向と減少方向で各々６区分、ポイント色（中心値）で１区分、合わせて１３区分に区分けした場合について説明するが、区分数は予め任意に決めておけばよい。
【０１２０】
領域ａ〜ｆは、ポイント色として指定された入力値を中心値として、入力値について中心値のマイナス側の色領域を示している。領域ａから領域ｆにいくほど、ポイント色から色が離れていく。また、ポイント色から離れるほどより細かい区分に区分けされている。
領域Ａ〜Ｆは、ポイント色として指定された入力値を中心値として、入力値について中心値のプラス側の色領域を示している。領域Ａから領域Ｆにいくほど、ポイント色から色が離れていく。また、ポイント色から離れるほどより細かい区分に区分けされている。
【０１２１】
次に、ＣＰＵ１１により、記憶部１４に記憶されている第２の入力色成分毎の区別表示情報に基づいて、区分けされた区分毎に異なる表示態様となるように区別表示が設定される（ステップＳ２２）。第２の入力色成分毎の区別表示情報は、各区分に対応する表示態様を示す情報である。
【０１２２】
図２３（ａ）及び（ｂ）に、第２の入力色成分毎の区別表示情報の例を示す。中心値からの増減Ｘで区分けされた区分毎に、表示色が対応付けられている。なお、図面上では、異なるパターンにより異なる色であることを表現している。
【０１２３】
図２２に示す調整範囲設定領域１７３ｂには、各領域ａ〜ｆ，Ａ〜Ｆと対応付けられて、表示色表示領域Ｅ３１〜Ｅ４２と、チェックボックスＣ２１〜Ｃ３２とが設けられている。
表示色表示領域Ｅ３１〜Ｅ４２には、ＣＰＵ１１により、図２３（ａ）及び（ｂ）に基づいて、各領域ａ〜ｆ，Ａ〜Ｆに対応する表示色が表示される。なお、区別表示の表示態様は、任意に設定可能となっている。
【０１２４】
また、各領域ａ〜ｆ，Ａ〜Ｆに対応するチェックボックスＣ２１〜Ｃ３２がチェックされている場合には、各領域ａ〜ｆ，Ａ〜Ｆが調整範囲として設定されていることを示している。初期設定においては、全てのチェックボックスＣ２１〜Ｃ３２にチェックが入っている。
【０１２５】
調整範囲設定領域１７３ｂのグラフ表示領域Ｇ５には、ＣＰＵ１１により、記憶部１４に記憶されている第２の初期調整率情報に基づいて、初期調整範囲に対する調整率を示すグラフが表示される。図２４に、第２の初期調整率情報の例を示す。第２の初期調整率情報として、初期調整範囲における、ポイント色の入力中心値からの増減Ｘに対する調整率Ｙ０（％）が予め定められている。ポイント色（Ｘ＝０）から色が離れるほど、調整率が小さくなるように設定されている。なお、区分内の調整率は、区分の両境界値における調整率を線形補間した値となる。また、初期調整範囲外の調整率は０とする。
【０１２６】
グラフ表示領域Ｇ５に表示されるグラフの横軸は入力値をポイント色（中心値）からの増減値で表した値であり、縦軸は調整率である。また、ＣＰＵ１１により、第２の入力色成分毎の区別表示情報（図２３（ａ）及び（ｂ）参照）に基づいて、グラフ中の各区分に対応する部分が、区別表示に対応する表示色で表示される。
【０１２７】
ユーザの操作部１５からの操作により、ポイント色の調整範囲の表示が指定されると（ステップＳ２３）、ＣＰＵ１１により、入力値の各格子点（ＲＧＢ３次元空間における各格子点：６８９２１点）に対応する入力色成分毎の調整率が算出される（ステップＳ２４）。具体的には、ＣＰＵ１１により、ＲＧＢ毎に、入力ＲＧＢ値とポイント色のＲＧＢ値との差に基づいて、入力ＲＧＢ値の各格子点に対応する調整率が算出される。
【０１２８】
ポイント色を（Ｒｎ，Ｇｎ，Ｂｎ）、格子点を（Ｒｉ，Ｇｉ，Ｂｉ）とすると、格子点（Ｒｉ，Ｇｉ，Ｂｉ）におけるレッドの調整率Ｗｒは、Ｘ＝Ｒｉ−Ｒｎに応じて算出される（図２４参照）。同様に、格子点（Ｒｉ，Ｇｉ，Ｂｉ）におけるグリーンの調整率Ｗｇは、Ｘ＝Ｇｉ−Ｇｎに応じて算出され、格子点（Ｒｉ，Ｇｉ，Ｂｉ）におけるブルーの調整率Ｗｂは、Ｘ＝Ｂｉ−Ｂｎに応じて算出される。
【０１２９】
次に、ＣＰＵ１１により、入力値の各格子点に対応する入力色成分毎の調整率に基づいて、入力値の各格子点に対応するトータル調整率が算出される（ステップＳ２５）。
トータル調整率は、入力値の各格子点に対応する各出力値に加算する調整値に乗ずる値であり、入力色成分毎の調整率を掛け合わせた値である。すなわち、格子点（Ｒｉ，Ｇｉ，Ｂｉ）におけるトータル調整率Ｗｔは、格子点（Ｒｉ，Ｇｉ，Ｂｉ）におけるレッドの調整率Ｗｒ、グリーンの調整率Ｗｇ、ブルーの調整率Ｗｂを掛け合わせた値である。
Ｗｔ（％）＝Ｗｒ（％）×Ｗｇ（％）×Ｗｂ（％）
【０１３０】
次に、ＣＰＵ１１により、入力色成分毎のマスク色変換テーブル作成処理が行われる（ステップＳ２６）。
【０１３１】
図１２に示すように、入力色成分毎のマスク色変換テーブル作成処理では、まず、ＣＰＵ１１により、入力色成分毎に、第２の入力色成分毎の区別表示情報（図２３（ａ）及び（ｂ）参照）に基づいて、入力値の各格子点に対応する区別表示用出力値が算出される（ステップＳ４１）。例えば、レッドの色調整範囲を示すマスク色変換テーブルを作成する場合には、格子点（Ｒｉ，Ｇｉ，Ｂｉ）に対応する区別表示用出力値として、図２３（ａ）及び（ｂ）において、Ｘ＝Ｒｉ−Ｒｎと対応付けられている表示色を出力するためのＣＭＹＫ値が算出される。
【０１３２】
次に、ＣＰＵ１１により、トータル調整率が０の格子点については、入力色成分毎の区別表示用出力値が、入力色成分毎の調整率が０の場合（マスク表示されない場合）と同じ値にされる（ステップＳ４２）。すなわち、ＣＰＵ１１により、ある格子点において、入力色成分毎の調整率のうち少なくとも一つが０の場合には、区別表示用出力値が（０，０，０，０）に置き換えられる。
【０１３３】
このようにして、ＣＰＵ１１により、入力色成分毎に入力値の各格子点に対する区別表示用出力値が求められ、入力色成分毎のマスク色変換テーブルが作成される（ステップＳ４３）。
【０１３４】
次に、図７に戻り、ＣＰＵ１１により、トータル調整率に基づくマスク色変換テーブル作成処理が行われる（ステップＳ２７）。
【０１３５】
次に、ＣＰＵ１１により、入力色成分毎に、対象画像の画像データが入力色成分毎のマスク色変換テーブルを用いて色変換され、マスク画像が生成され、このマスク画像が対象画像のプレビュー画像上に重ねて表示される（ステップＳ２８）。すなわち、ＣＰＵ１１により、ＲＧＢ毎に、色変換対象の画像データ中の各区分に含まれる色の領域が、設定された区別表示に対応する表示態様で当該色変換対象の画像データのプレビュー画像上に表示される。
【０１３６】
具体的には、図２２に示すポイント色調整画面１７３に含まれる調整範囲設定領域１７３ｂにおいて、「調整範囲をプレビュー画面に表示」のＯＮ／ＯＦＦを指定するためのラジオボタンＲ１５，Ｒ１６が「ＯＮ」に設定されると、プレビュー画像上に入力色成分毎の区別表示に対応する表示色が表示される。プレビュー画像上に表示される区別表示と、グラフの区別表示（グラフ表示領域Ｇ５）と、調整範囲設定の表示色の区別表示（表示色表示領域Ｅ３１〜Ｅ４２）の区分毎の色は、すべて共通の色となっている。
【０１３７】
次に、図２２の調整範囲設定領域１７３ｂにおいて、「Total」を選択するためのラジオボタンＲ１４がＯＮにされると、ＣＰＵ１１により、トータル調整率に応じた区分毎の表示色、及び、ポイント色の入力中心値からの３次元空間上での距離に対するトータル調整率を示すグラフが表示される。グラフ中の各区分に対応する部分は、区別表示に対応する表示色で表示される。
【０１３８】
次に、ＣＰＵ１１により、対象画像の画像データがトータル調整率に基づくマスク色変換テーブルを用いて色変換され、マスク画像が生成され、このマスク画像が対象画像のプレビュー画像上に重ねて表示される（ステップＳ２９）。
【０１３９】
次に、ＣＰＵ１１により、操作部１５からの操作に基づいて、入力色成分毎の調整範囲に含まれる複数の区分の中で調整範囲から除外したい区分が指定されたか否かが判断される（ステップＳ３０）。具体的には、調整範囲から除外したい区分がある場合には、ユーザは、図２２に示すポイント色調整画面１７３の調整範囲設定領域１７３ｂにおいて、除外したい区分の区別表示の表示色と同じ色に対応するチェックボックスＣ２１〜Ｃ３２のチェックをはずす。
【０１４０】
調整範囲から除外したい区分が指定された場合には（ステップＳ３０；ＹＥＳ）、ＣＰＵ１１により、指定された区分が調整範囲から除外され、新たな調整範囲が設定される（ステップＳ３１）。なお、ＣＰＵ１１により、調整範囲から除外された区分よりもポイント色から離れた区分については、同時に調整範囲から除外される。
【０１４１】
調整範囲の変更に伴い、ＣＰＵ１１により、記憶部１４に記憶されている第２の調整率情報に基づいて、調整範囲内の調整率が変更される。すなわち、ＣＰＵ１１により、新たに設定された調整範囲に応じて、当該調整範囲に含まれる色に対して調整値の調整率が設定される。変更後の調整範囲と調整率の関係は、変更された調整範囲に基づいて、予め設定されている中から適宜選択される。
【０１４２】
図２５（ａ）及び（ｂ）に、変更後の調整範囲における第２の調整率情報を示す。
調整率Ｙ１（％）は、初期調整範囲から領域Ｆが除外された場合のポイント色の入力中心値からの増減Ｘに対する調整率である。調整率Ｙ２（％）は、初期調整範囲から領域Ｅ及びＦが除外された場合のポイント色の入力中心値からの増減Ｘに対する調整率である。調整率Ｙ３（％）は、初期調整範囲から領域Ｄ、Ｅ及びＦが除外された場合のポイント色の入力中心値からの増減Ｘに対する調整率である。調整率Ｙ４（％）は、初期調整範囲から領域Ｃ、Ｄ、Ｅ及びＦが除外された場合のポイント色の入力中心値からの増減Ｘに対する調整率である。調整率Ｙ５（％）は、初期調整範囲から領域Ｂ、Ｃ、Ｄ、Ｅ及びＦが除外された場合のポイント色の入力中心値からの増減Ｘに対する調整率である。
【０１４３】
調整率Ｙ６（％）は、初期調整範囲から領域ｆが除外された場合のポイント色の入力中心値からの増減Ｘに対する調整率である。調整率Ｙ７（％）は、初期調整範囲から領域ｅ及びｆが除外された場合のポイント色の入力中心値からの増減Ｘに対する調整率である。調整率Ｙ８（％）は、初期調整範囲から領域ｄ、ｅ及びｆが除外された場合のポイント色の入力中心値からの増減Ｘに対する調整率である。調整率Ｙ９（％）は、初期調整範囲から領域ｃ、ｄ、ｅ及びｆが除外された場合のポイント色の入力中心値からの増減Ｘに対する調整率である。調整率Ｙ１０（％）は、初期調整範囲から領域ｂ、ｃ、ｄ、ｅ及びｆが除外された場合のポイント色の入力中心値からの増減Ｘに対する調整率である。
【０１４４】
図２５（ａ）及び（ｂ）においても、ポイント色（Ｘ＝０）から色が離れるほど、調整率が小さくなるように設定されている。また、区分内の調整率は、区分の両境界値における調整率を線形補間した値となる。また、調整範囲外の調整率は０とする。
【０１４５】
ここで、ユーザの操作部１５からの操作により、ポイント色の調整範囲の表示が指定されると（ステップＳ３２）、ステップＳ２４に戻り、ステップＳ２４〜ステップＳ３０の処理が繰り返される。新たな調整範囲に応じて入力値の各格子点に対応する入力色成分毎の調整率が算出し直されるため（ステップＳ２４）、入力色成分毎のマスク色変換テーブル作成処理では、除外された区分の区別表示が非表示となるように、マスク色変換テーブルが再作成される（ステップＳ２６）。
【０１４６】
具体的には、図２２に示すポイント色調整画面１７３の調整範囲設定領域１７３ｂにおいて、除外したい区分の区別表示の表示色と同じ色に対応するチェックボックスＣ２１〜Ｃ３２のチェックがはずされた状態で、「設定をプレビュー画面に反映」ボタンＢ１３が押下されると、ＣＰＵ１１により、プレビュー画像上に変更後の調整範囲に含まれる区分に対応する表示色が表示され、調整範囲から除外したい箇所が除外されていることを確認できる。
【０１４７】
また、図２２に示すポイント色調整画面１７３の調整範囲設定領域１７３ｂにおいて、レッドについて、領域ｄ、ｅ、ｆ、Ｄ、Ｅ及びＦに対応するチェックボックスＣ２４〜Ｃ２６、Ｃ３０〜Ｃ３２のチェックがはずされた状態で、プルダウンメニューＰ２を操作することにより、「調整範囲変更前」から「調整範囲変更後」に変更されると、ＣＰＵ１１により、図２６に示すポイント色調整画面１７４が表示される。ポイント色調整画面１７４に含まれる調整範囲設定領域１７４ｂのグラフ表示領域Ｇ６には、調整範囲から領域ｄ、ｅ、ｆ、Ｄ、Ｅ及びＦが除外された調整範囲変更後のグラフが表示される。すなわち、中心値のプラス側については、図２５（ａ）の調整率Ｙ３（％）が採用され、中心値のマイナス側については、図２５（ｂ）の調整率Ｙ８（％）が採用されている。
【０１４８】
他の入力色成分の調整範囲を設定する場合も同様に、図２２に示すポイント色調整画面１７３に含まれる調整範囲設定領域１７３ｂの入力色のラジオボタンＲ１１〜Ｒ１３を変更して、調整範囲を設定する。
【０１４９】
ステップＳ３０において、調整範囲から除外したい区分が指定されない場合（ステップＳ３０；ＮＯ）、すなわち、現状設定されている調整範囲で確定される場合には、ポイント色の調整範囲設定処理が終了する。例えば、図２６に示すポイント色調整画面１７４において、「ＯＫ」ボタンＢ１４が押下されると、図３に示すデバイスリンクプロファイル作成画面１６１に戻る。
【０１５０】
図２に戻り、ＣＰＵ１１により、ポイント色調整の調整後の設定に基づいて、デバイスリンクプロファイルが再作成される（ステップＳ１０）。具体的には、ＣＰＵ１１により、ポイント色の出力値に対する調整値（ＣＭＹＫ）と、入力ＲＧＢ値の各格子点に対応するトータル調整率（最後に算出されたトータル調整率）と、を掛け合わせた値が、入力ＲＧＢ値の各格子点に対応する出力ＣＭＹＫ値（調整前のデバイスリンクプロファイルを用いて色変換された値）にそれぞれ加算され、ポイント色調整が反映された後の出力ＣＭＹＫ値が算出される。そして、入力ＲＧＢ値の各格子点に対して、ポイント色調整後の出力ＣＭＹＫ値を対応付けたデバイスリンクプロファイルが作成される。
【０１５１】
ステップＳ１０の後、又は、ステップＳ６において、ポイント色調整をする旨の操作指示がなかった場合には（ステップＳ６；ＮＯ）、ＣＰＵ１１により、デバイスリンクプロファイルが記憶部１４に保存される（ステップＳ１１）。
以上で、色変換装置におけるデバイスリンクプロファイル作成処理が終了する。
【０１５２】
以上説明したように、第２の実施の形態における色変換装置によれば、色変換対象の画像データ中の各区分に含まれる色の領域を、区別表示に対応する表示態様でプレビュー画像上に表示させるので、色調整する調整範囲を容易に認識可能とすることができる。また、区分単位で初期調整範囲から除外することができるので、調整範囲内の一部を調整範囲から除外する際の操作性を向上させることができる。
【０１５３】
また、ポイント色から離れるほどより細かい区分に区分けすることにより、初期調整範囲から除外したい区分がある場合に、調整範囲を細かく調整することができる。
また、ポイント色から離れるほど調整率を小さくすることにより、トーンジャンプを防止することができる。
【０１５４】
また、ポイント色を中心として入力値の増加方向、減少方向について、個別に調整範囲を調整することができる。
また、入力値の色成分毎に、個別に初期調整範囲から除外したい区分を指定することができるので、入力値の色成分毎に、個別に調整範囲を調整することができる。
【０１５５】
また、入力値に対する調整率を表したグラフを表示させることにより、入力値に対する調整率を容易に認識可能とすることができる。また、グラフ上の各区分に対応する部分を、設定された区別表示に対応する表示態様で表示させることにより、区分毎の表示態様を容易に認識可能とすることができる。
【０１５６】
なお、上記各実施の形態における記述は、本発明に係る色変換装置の例であり、これに限定されるものではない。装置を構成する各部の細部構成及び細部動作に関しても本発明の趣旨を逸脱することのない範囲で適宜変更可能である。
【０１５７】
例えば、初期調整範囲や、ポイント色の入力中心値からの増減Ｘに対する調整率は、上記の例に限定されず、任意に変更可能である。
また、上記各実施の形態では、マスク色変換テーブルを用いて、対象画像の画像データを、複数の異なる表示色に対応するＣＭＹＫ値に変換する場合について説明したが、複数の異なるパターンを形成するためのＣＭＹＫ値に変換することとしてもよい。
【０１５８】
また、上記各実施の形態では、ポイント色調整画面の調整範囲の区分毎の設定をチェックボックスで行う場合について説明したが、図２７に示すポイント色調整画面１７５の調整範囲設定領域１７５ｂのように、調整範囲を区分毎に異なる表示態様で表示させたスライドバーを設けることとしてもよい。具体的に、入力値について中心値のプラス側の色領域を調整する場合には、プラス側調整部Ｆ１の上にマウスポインタを置いた状態でマウスボタンを押下し、そのまま調整範囲から除外したい区分の左側まで移動させてからマウスボタンを離す。一方、入力値について中心値のマイナス側の色領域を調整する場合には、マイナス側調整部Ｆ２の上にマウスポインタを置いた状態でマウスボタンを押下し、そのまま調整範囲から除外したい区分の右側まで移動させてからマウスボタンを離す。
【０１５９】
シアンについて、プラス側調整部Ｆ１を操作することにより、初期調整範囲から領域Ｄ、Ｅ及びＦが除外され、プルダウンメニューＰ３を操作することにより、「調整範囲変更前」から「調整範囲変更後」に変更された場合のポイント色調整画面１７６を図２８に示す。ポイント色調整画面１７６に含まれる調整範囲設定領域１７６ｂにおいて、プラス側調整部Ｆ１は、領域Ｃの位置まで移動されており、領域Ｄ、Ｅ及びＦが除外されている。また、グラフ表示領域Ｇ７には、調整範囲変更後のグラフが表示される。
【０１６０】
また、上記各実施の形態では、デバイスリンクプロファイルを作成する例を挙げたが、デバイスリンクプロファイルを作成することなく、ソースプロファイルとデスティネーションプロファイルから２段階の変換処理をして出力してもかまわない。
【０１６１】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１６２】
１０  色変換装置
１１  ＣＰＵ
１２  ＲＯＭ
１３  ＲＡＭ
１４  記憶部
１５  操作部
１６  表示部
１７  通信部
１８  バス
２０  プリンタ
１６１  デバイスリンクプロファイル作成画面
１６２  プレビュー画像選択画面
１６３  プレビュー画像表示画面
１６４  ポイント色調整画面
１６６  マスク画像表示画面
１７０  マスク画像表示画面
１７１  ポイント色調整画面
１７３  ポイント色調整画面
１７４  ポイント色調整画面
【図１】
0005747644.tif 000002
【図２】
0005747644.tif 000003
【図３】
0005747644.tif 000004
【図４】
0005747644.tif 000005
【図７】
0005747644.tif 000006
【図８】
0005747644.tif 000007
【図１０】
0005747644.tif 000008
【図１１】
0005747644.tif 000009
【図１２】
0005747644.tif 000010
【図１３】
0005747644.tif 000011
【図１６】
0005747644.tif 000012
【図１８】
0005747644.tif 000013
【図２４】
0005747644.tif 000014
【図２５】
0005747644.tif 000015
【図５】
0005747644.tif 000016
【図６】
0005747644.tif 000017
【図９】
0005747644.tif 000018
【図１４】
0005747644.tif 000019
【図１５】
0005747644.tif 000020
【図１７】
0005747644.tif 000021
【図１９】
0005747644.tif 000022
【図２０】
0005747644.tif 000023
【図２１】
0005747644.tif 000024
【図２２】
0005747644.tif 000025
【図２３】
0005747644.tif 000026
【図２６】
0005747644.tif 000027
【図２７】
0005747644.tif 000028
【図２８】
0005747644.tif 000029